(57)【要約】【課題】瞬時電圧低下が発生するか否かに関する適切な判定を行うための支援情報を顧客に提供する。【解決手段】落雷の観測点の位置情報を受信する落雷情報受信部１Ａと、顧客毎に予め定められたＩＤ情報、当該顧客の有する複数の電力設備、当該各電力設備相互間に接続する送電線のデータが地図情報に対応して記憶された送電系統ＤＢ１Ｅと、顧客のＩＤ情報と、ＩＰアドレスとが対応して記憶された顧客情報ＤＢ１Ｇと、観測点の位置情報から算出された落雷発生領域に存在する電力設備又は送電線のデータと、ＩＤ情報とを読出す範囲比較部１Ｉと、ＩＤ情報を検索キーとして顧客情報ＤＢ１Ｇを検索し、該当するＩＰアドレスを読出し、対応する端末装置に警告情報を送信する警報発生部１Ｋとを具備して構成する。【選択図】　　図１
2004112873.tif 000002
【特許請求の範囲】
【請求項１】
落雷が発生した第１の観測点の位置に関する位置情報に基づいて、瞬時電圧低下が発生する可能性があることを示す警告情報を、通信ネットワークを介して接続された、顧客の端末装置に送信する瞬時電圧低下支援情報提供サーバであって、
通信ネットワークを介して送信された第１の観測点の位置情報を受信する第１の落雷情報受信手段と、
少なくとも顧客毎に予め定められたＩＤ情報、当該顧客の有する複数の電力設備、当該各電力設備相互間に接続する送電線のデータが地図情報に対応して記憶された送電系統データ記憶手段と、
少なくとも前記顧客のＩＤ情報と、ＩＰアドレスとが対応して記憶された顧客情報記憶手段と、
前記第１の落雷情報受信手段により受信された第１の観測点の位置情報に基づいて算出された第１の所定の領域に存在する前記送電系統データ記憶手段に記憶された電力設備又は送電線のデータと、顧客のＩＤ情報とを読出す第１の送電線データ読出し手段と、
前記第１の送電線読出し手段により読出されたＩＤ情報を検索キーとして前記顧客情報記憶手段を検索し、該当するＩＰアドレスを読出す第１のＩＰアドレス読出し手段と、
前記第１のＩＰアドレス読出し手段により読出されたＩＰアドレスに対応する端末装置に警告情報を送信する第１の警告情報送信手段と
を具備したことを特徴とする瞬時電圧低下支援情報提供サーバ。
【請求項２】
請求項１に記載の瞬時電圧低下支援情報提供サーバにおいて、
落雷が発生すると予測される第２の観測点の位置情報を、通信ネットワークを介して受信する第２の位置情報受信手段と、
前記第２の観測点の位置情報に基づいて算出された第２の所定の領域に存在する前記送電系統データ記憶手段に記憶された電力設備又は送電線のデータと、顧客のＩＤ情報とを読出す第２の送電線データ読出し手段と、
前記第２の送電線読出し手段により読出されたＩＤ情報を検索キーとして前記顧客情報記憶手段を検索し、該当するＩＰアドレスを読出す第２のＩＰアドレス読出し手段と、
前記第２のＩＰアドレス読出し手段により読出されたＩＰアドレスに対応する端末装置に警告情報を送信する第２の警告情報送信手段と
をさらに具備したことを特徴とする瞬時電圧低下支援情報提供サーバ。
【請求項３】
落雷が発生した第１の観測点の位置に関する位置情報に基づいて、瞬時電圧低下が発生する可能性があることを示す警報情報を、通信ネットワークを介して接続された、顧客の端末装置に送信する瞬時電圧低下支援情報提供サーバであって
通信ネットワークを介して送信された第１の観測点の位置情報を受信する第１の落雷情報受信手段と、
少なくとも顧客毎に予め定められたＩＤ情報、瞬時電圧低下が発生した際の雷雲の発生領域が地図情報に対応して記憶された瞬低情報記憶手段と、
少なくとも前記顧客のＩＤ情報と、ＩＰアドレスとが対応して記憶された顧客情報記憶手段と、
前記第１の落雷情報受信手段により受信された第１の観測点の位置情報に基づいて算出された第１の所定の領域と交わりを有する雷雲の存在領域と前記顧客のＩＤ情報とを読出す第１の雷雲情報読出し手段と、
前記第１の雷雲情報読出し手段により読出された顧客のＩＤ情報を検索キーとして前記顧客情報記憶手段を検索し、該当するＩＰアドレスを読出す第３のＩＰアドレス読出し手段と、
前記第３のＩＰアドレス読出し手段により読出されたＩＰアドレスに対応する端末装置に警告情報を送信する第１の警報情報送信手段と
を具備したことを特徴とする瞬時電圧低下支援情報提供サーバ。
【請求項４】
請求項３に記載の瞬時電圧低下支援情報提供サーバにおいて、
落雷が発生すると予測される第２の観測点の位置情報を、通信ネットワークを介して受信する第２の位置情報受信手段と、
前記第２の落雷情報受信手段により受信された第２の観測点の位置情報に基づいて算出された第２の所定の領域と交わりを有する雷雲の存在領域と前記顧客のＩＤ情報とを読出す第２の雷雲情報読出し手段と、
前記第２の雷雲情報読出し手段により読出された顧客のＩＤ情報を検索キーとして前記顧客情報記憶手段を検索し、該当するＩＰアドレスを読出す第４のＩＰアドレス読出し手段と、
前記第４のＩＰアドレス読出し手段により読出されたＩＰアドレスに対応する端末装置に警告情報を送信する第２の警報情報送信手段と
をさらに具備したことを特徴とする瞬時電圧低下支援情報提供サーバ。
【発明の詳細な説明】
【０００１】
【発明の属する技術分野】
本発明は、例えば、台風や落雷に起因して送電系統に発生する、瞬時電圧低下の発生範囲に関する支援情報を提供する瞬時電圧低下支援情報提供サーバに関する。
【０００２】
【従来の技術】
一般に、瞬時電圧低下とは、例えば、台風や落雷により送電線や変電所等の送電系統に故障が発生した場合に発生する大幅な電圧低下のことをいう。
【０００３】
このようにして発生した瞬時電圧低下により、コンピュータ、マグネットスイッチ、及び家電製品等に破損が発生する可能性がある。
【０００４】
例えば、一般の電力需要家が、発電設備としてコジェネレーションシステムを設置している場合には、瞬時電圧低下が発生した場合には、発電機を駆動するエンジン等が破損し、当該破損により発電機が停止してしまうので、コジェネレーションシステムを用いて発電をすることができなくなるので、電力会社から電力供給を受ける一方、当該コジェネレーションシステムの修理を行わねばならない。
【０００５】
一方、生産工場等では、瞬時電圧低下が発生した場合には、負荷のコンダクタ等の励磁が開路するので、当該工場に設けられた生産設備が停止してしまう。
【０００６】
従来、コジェネレーションシステムのような電力設備の電力の効率的な需要方法に関しては、エネルギーサービス事業者が最も効率的な方法を指示するものが提案されている（例えば、特許文献１参照）。
【０００７】
しかしながら、このように重大な影響を及ぼす瞬時電圧低下が発生するか否かを判定するために有益な支援情報を提供する手法は、存在しない。
【０００８】
従って、各需要家が保有する各発電設備の運転者や管理者は、落雷情報に基づいて、コジェネレーションシステム等の発電設備を停止させるか又は系統から分離するかの判断を行っていた。
【０００９】
なお、瞬時電圧低下は、瞬低と呼んでもよい。
【００１０】
【特許文献１】
特開２００２−３２４３８号公報
【００１１】
【発明が解決しようとする課題】
しかしながら、この種の判定手法では、顧客により常に適切な判定が行われるとは限らず、必要のない瞬時電圧低下に対する対策が行われる可能性がある。
【００１２】
そこで本発明は、上記事情に考慮してなされたもので、瞬時電圧低下が発生するか否かに関する適切な判定を行うための支援情報を、顧客に提供することを可能にする、瞬時電圧低下支援情報提供サーバを提供することを目的とする。
【００１３】
【課題を解決するための手段】
上記課題を解決するために、落雷が発生した第１の観測点の位置に関する位置情報に基づいて、瞬時電圧低下が発生する可能性があることを示す警告情報を、通信ネットワークを介して接続された、顧客の端末装置に送信する瞬時電圧低下支援情報提供サーバであって、通信ネットワークを介して送信された第１の観測点の位置情報を受信する第１の落雷情報受信手段と、少なくとも顧客毎に予め定められたＩＤ情報、当該顧客の有する複数の電力設備、当該各電力設備相互間に接続する送電線のデータが地図情報に対応して記憶された送電系統データ記憶手段と、少なくとも顧客のＩＤ情報と、ＩＰアドレスとが対応して記憶された顧客情報記憶手段と、第１の落雷情報受信手段により受信された第１の観測点の位置情報に基づいて算出された第１の所定の領域に存在する送電系統データ記憶手段に記憶された電力設備又は送電線のデータと、顧客のＩＤ情報とを読出す第１の送電線データ読出し手段と、第１の送電線読出し手段により読出されたＩＤ情報を検索キーとして顧客情報記憶手段を検索し、該当するＩＰアドレスを読出す第１のＩＰアドレス読出し手段と、第１のＩＰアドレス読出し手段により読出されたＩＰアドレスに対応する端末装置に警告情報を送信する第１の警告情報送信手段とを具備した瞬時電圧低下支援情報提供サーバである。
【００１４】
このように、第１の落雷情報受信手段により通信ネットワークを介して第１の観測点の位置情報が受信され、当該受信された第１の観測点の位置情報に基づいて算出された第１の所定の領域に存在する送電系統データ記憶手段に記憶された電力設備又は送電線のデータと、顧客のＩＤ情報とが、第１の送電線データ読出し手段により読出され、当該読出されたＩＤ情報を検索キーとして第１のＩＰアドレス読出し手段により顧客情報記憶手段が検索され、該当するＩＰアドレスが読出され、当該読出されたＩＰアドレスに対応する端末装置に第１の警告情報送信手段により警告情報が送信されるので、瞬時電圧低下が発生するか否かに関する適切な判定を行うための支援情報を顧客に提供することが出来る。
【００１５】
第２の発明は、第１の発明の瞬時電圧低下支援情報提供サーバにおいて、落雷が発生すると予測される第２の観測点の位置情報を、通信ネットワークを介して受信する第２の位置情報受信手段と、第２の観測点の位置情報に基づいて算出された第２の所定の領域に存在する前記送電系統データ記憶手段に記憶された電力設備又は送電線のデータと、顧客のＩＤ情報とを読出す第２の送電線データ読出し手段と、第２の送電線読出し手段により読出されたＩＤ情報を検索キーとして顧客情報記憶手段を検索し、該当するＩＰアドレスを読出す第２のＩＰアドレス読出し手段と、第２のＩＰアドレス読出し手段により読出されたＩＰアドレスに対応する端末装置に警告情報を送信する第２の警告情報送信手段とをさらに具備した瞬時電圧低下支援情報提供サーバである。
【００１６】
これにより、第１の発明の作用と同様の作用を奏することが出来る。
【００１７】
第３の発明は、落雷が発生した第１の観測点の位置に関する位置情報に基づいて、瞬時電圧低下が発生する可能性があることを示す警報情報を、通信ネットワークを介して接続された、顧客の端末装置に送信する瞬時電圧低下支援情報提供サーバであって、通信ネットワークを介して送信された第１の観測点の位置情報を受信する第１の落雷情報受信手段と、少なくとも顧客毎に予め定められたＩＤ情報、瞬時電圧低下が発生した際の雷雲の発生領域が地図情報に対応して記憶された瞬低情報記憶手段と、少なくとも顧客のＩＤ情報と、ＩＰアドレスとが対応して記憶された顧客情報記憶手段と、第１の落雷情報受信手段により受信された第１の観測点の位置情報に基づいて算出された第１の所定の領域と交わりを有する雷雲の存在領域と顧客のＩＤ情報とを読出す第１の雷雲情報読出し手段と、第１の雷雲情報読出し手段により読出された顧客のＩＤ情報を検索キーとして顧客情報記憶手段を検索し、該当するＩＰアドレスを読出す第３のＩＰアドレス読出し手段と、第３のＩＰアドレス読出し手段により読出されたＩＰアドレスに対応する端末装置に警告情報を送信する第１の警報情報送信手段とを具備した瞬時電圧低下支援情報提供サーバである。
【００１８】
このように、第１の落雷情報受信手段により通信ネットワークを介して第１の観測点の位置情報が受信され、当該受信された第１の観測点の位置情報に基づいて算出された第１の所定の領域と交わりを有する雷雲の存在領域と、顧客のＩＤ情報とが第１の雷雲情報読出し手段により読出され当該読出された顧客のＩＤ情報を検索キーとして顧客情報記憶手段が第３のＩＰアドレス読出し手段により検索され、該当するＩＰアドレスが読出され、当該読出されたＩＰアドレスに対応する端末装置に第１の警報情報送信手段により警告情報が送信されるので、瞬時電圧低下が発生するか否かに関する適切な判定を行うための支援情報を顧客に提供することが出来る。
【００１９】
第４の発明は、第３の発明の瞬時電圧低下支援情報提供サーバにおいて、落雷が発生すると予測される第２の観測点の位置情報を、通信ネットワークを介して受信する第２の位置情報受信手段と、第２の落雷情報受信手段により受信された第２の観測点の位置情報に基づいて算出された第２の所定の領域と交わりを有する雷雲の存在領域と顧客のＩＤ情報とを読出す第２の雷雲情報読出し手段と、第２の雷雲情報読出し手段により読出された顧客のＩＤ情報を検索キーとして顧客情報記憶手段を検索し、該当するＩＰアドレスを読出す第４のＩＰアドレス読出し手段と、第４のＩＰアドレス読出し手段により読出されたＩＰアドレスに対応する端末装置に警告情報を送信する第２の警報情報送信手段とをさらに具備した瞬時電圧低下支援情報提供サーバである。
【００２０】
これにより、第３の発明の作用と同様の作用を奏することが出来る。
【００２１】
【発明の実施の形態】
以下、本発明の一実施の形態について図面を参照して説明する。
【００２２】
図１は、本発明に係る瞬時電圧低下支援情報提供サーバ１と、当該瞬時電圧低下支援情報提供サーバ１と通信ネットワーク２を介して接続された落雷情報ＤＢサーバ３とからなる瞬時電圧低下支援情報提供システムの構成例を示す模式図である。
【００２３】
なお、この落雷情報ＤＢサーバ３には、落雷が実際に発生している観測点に関する緯度及び経度との組からなる位置情報（以下、説明の簡略化を図る観点から単に落雷発生情報と称する）と、これから落雷が発生すると予測される観測点に関する緯度及び経度との組からなる位置情報と、雷雲の発生が予測される観測点に関する位置情報との組（以下、説明の簡略化を図る観点から、単に落雷予測情報と称する）とが予め定められた観測点ごとに対応して記憶された落雷情報ＤＢ３Ａが設けられており、当該落雷情報ＤＢ３Ａに記憶された落雷発生情報と落雷予測情報とがＤＢＭＳ部３Ｂにより検索され、読出された落雷発生情報と落雷予測情報とが配信先アドレス記憶部３Ｃに記憶されたＩＰアドレスに該当する、当該瞬時電圧低下支援情報提供サーバ１に落雷情報送信部３Ｄにより送信されている。
【００２４】
本発明に係る瞬時電圧低下支援情報提供サーバ１は、落雷情報受信部１Ａと、落雷情報更新部１Ｂと、落雷発生情報記憶部１Ｃと、落雷予測情報記憶部１Ｄと、送電系統ＤＢ１Ｅと、瞬低情報ＤＢ１Ｆと、顧客情報ＤＢ１Ｇと、検索範囲演算部１Ｈと、範囲比較部１Ｉと、瞬低データ比較部１Ｊと、警報送信部１Ｋとから構成されている。
【００２５】
なお、本発明に係る瞬時電圧低下支援情報提供サーバ１は、記録媒体又は通信ネットワーク２を介してインスト−ルされたプログラムに基づいて動作が制御されるコンピュータによってその機能が実現される。
【００２６】
また、本サーバを構成する各部は、ハードウェア若しくはソフトウェア又はハードウェアとソフトウェアとの組み合わせの何れにより構成されるものであってもよい。
【００２７】
なお、本瞬時電圧低下支援情報提供システムは、通信ネットワーク２、例えばインターネットやイーサネットを介して接続され、電力の需要家側に設けられた端末装置４に接続されている。
【００２８】
落雷情報受信部１Ａは、通信ネットワーク２を介して送信された落雷発生情報と落雷予測情報とを受信する機能と、当該受信した落雷発生情報と落雷予測情報とを落雷情報更新部１Ｂに出力する機能とを有する。
【００２９】
落雷情報更新部１Ｂは、落雷情報受信部１Ａから出力された落雷発生情報を受け取り、当該落雷発生情報を落雷発生情報記憶部１Ｃに更新記憶させる機能と、落雷情報受信部１Ａから出力された落雷予測情報を受け取り、当該落雷予測情報を落雷予測情報記憶部１Ｄに記憶させる機能とを有する。
【００３０】
落雷発生情報記憶部１Ｃには、落雷発生情報が読出し／書込み可能に記憶されている。この記憶されている落雷発生情報は、検索範囲演算部１Ｈにより落雷発生情報記憶部１Ｃから読出される。
【００３１】
落雷予測情報記憶部１Ｄには、落雷予測情報が読出し／書込み可能に記憶されている。この記憶されている落雷予測情報は、瞬低データ比較部１Ｊにより落雷予測情報記憶部１Ｄから読出される。
【００３２】
送電系統ＤＢ１Ｅには、顧客ごとに予め定められたＩＤ情報、当該顧客の有する電力設備の緯度及び経度との組からなる位置情報、及び当該電力設備間を相互に接続する送電線のデータがビットマップ形式の地図情報に対応して記憶されている。この送電線のデータは、ビットマップ形式の地図情報に対応した線分で表されるものである。
【００３３】
瞬低情報ＤＢ１Ｆには、瞬時電圧低下が実際に発生した際の顧客の有する電力設備の緯度及び経度との組からなる位置情報、当該電力設備を保有する顧客のＩＤ情報、瞬時電圧低下発生時における雷雲の発生領域、及び当時落雷の発生した場所の位置情報がビットマップ形式の地図情報に対応して記憶されている。
【００３４】
顧客情報ＤＢ１Ｇには、顧客ごとに、予め割り当てられたＩＤ情報、警報情報の配信先のＩＰアドレス、電力設備の緯度及び経度との組からなる位置情報、及び過去に当該顧客の電力設備で発生した瞬時電圧低下の実績データが対応して記憶されている。
【００３５】
検索範囲演算部１Ｈは、落雷発生情報記憶部１Ｃから当該落雷発生情報記憶部１Ｃに記憶された落雷発生情報を読出す機能と、当該読出した落雷発生情報である、落雷の発生している観測点を中心として予め定められた半径の円内に該当する検索範囲（以下、落雷発生領域と称する）の緯度及び経度のデータを演算により算出する機能と、当該算出した落雷発生領域の緯度及び経度のデータを範囲比較部１Ｉと瞬低データ比較部１Ｊとに出力する機能と、落雷予測情報記憶部１Ｄから落雷予測情報を読出す機能と、当該読出した落雷予測情報のうち、これから落雷が発生すると予測される観測点の位置情報から所定の半径の円内に該当する検索範囲（以下、落雷予測領域と称する）の緯度及び経度のデータを演算により算出する機能と、当該算出した落雷予測領域のデータを瞬低データ比較部１Ｊと範囲比較部１Ｉとに出力する機能とを有する。
【００３６】
範囲比較部１Ｉは、検索範囲演算部１Ｈから入力された検索範囲のデータが落雷発生領域に関するものであるか否かを判定する機能と、検索範囲演算部１Ｈから落雷発生領域のデータが入力されたと判定した場合に、送電系統ＤＢ１Ｅに記憶された送電線のデータを検索する機能と、当該検索結果として落雷発生領域に存在する送電線又は電力設備に関するデータと、当該送電線又は電力設備を有する顧客のＩＤ情報とを読出す機能と、当該読出した顧客の送電線又は電力設備のデータと顧客のＩＤ情報とに、瞬時電圧低下が発生する可能性があることを示す警告情報を付加して警報送信部１Ｋに出力する機能と、検索範囲演算部１Ｈから落雷発生領域のデータが入力されたのではないと判定した場合に、送電系統ＤＢ１Ｅを検索する機能と、当該検索結果として落雷予測領域に存在する送電線又は電力設備に関するデータと、当該送電線又は電力設備を有する顧客のＩＤとを読出す機能と、当該送電線又は電力設備のデータと顧客のＩＤ情報とに警告情報を付加して警報送信部１Ｋに出力する機能とを有する。
【００３７】
瞬低データ比較部１Ｊは、検索範囲演算部１Ｈから入力された検索範囲のデータが落雷発生領域に関するものであるか否かを判定する機能と、検索範囲演算部１Ｈから落雷発生領域のデータが入力されたと判定した場合に、瞬低情報ＤＢ１Ｆを検索し、当該検索結果として落雷発生領域と交わりを有する過去の瞬時電圧低下の発生時の雷雲の存在領域と、当該瞬時電圧低下を発生した顧客のＩＤ情報とを読出す機能と、当該読出した雷雲の存在領域と顧客のＩＤ情報とに、瞬時電圧低下が発生する可能性が極めて高いことを示す警報情報を付加して警報送信部１Ｋに出力する機能と、検索範囲演算部１Ｈから落雷発生領域のデータが入力されたのではないと判定した場合に、瞬低情報ＤＢ１Ｆを検索し、当該検索結果として落雷予測領域と交わりを有する過去の瞬時電圧低下の発生時の雷雲の存在領域と、当該瞬時電圧低下を発生した顧客のＩＤ情報とを読出す機能と、当該読出した雷雲の存在領域と顧客のＩＤ情報とに、警報情報を付加して、警報送信部１Ｋに出力する機能とを有している。
【００３８】
警報送信部１Ｋは、範囲比較部１Ｉから出力された、送電線又は電力設備のデータと顧客のＩＤ情報と警告情報との組を受け取り、当該顧客のＩＤ情報を検索キーとして顧客情報ＤＢ１Ｇを検索する機能と、当該検索の結果として得られた顧客の警報情報の配信先のＩＰアドレスを読出す機能と、当該ＩＰアドレスに該当する端末装置４に、送電線又は電力設備のデータと警告情報とを通信ネットワーク２を介して送信する機能と、瞬低データ比較部１Ｊから出力された、雷雲の存在領域と顧客のＩＤ情報と警報情報との組を受け取り、当該顧客のＩＤ情報を検索キーとして顧客情報ＤＢ１Ｇを検索する機能と、当該検索の結果として得られた顧客の警報情報の配信先のＩＰアドレスを読出す機能と、当該ＩＰアドレスに該当する端末装置４に、雷雲の存在領域と警報情報とを通信ネットワーク２を介して送信する機能とを有する。
【００３９】
なお、本実施の形態に係る瞬時電圧低下支援情報提供サーバ１では、気象庁に設けられた落雷情報ＤＢサーバ３から送信された落雷の発生領域と落雷の発生予測情報を受信していたが、これに限らず、局地的な気象の変化を網羅することによって瞬時電圧低下の発生範囲の予測精度を、より一層向上させる観点から、顧客により通知された局地的な落雷の発生領域を図示しないキーボード又はマウス等により、落雷情報更新部１Ｂに入力し、入力した落雷の発生領域を落雷発生情報記憶部１Ｃに記憶させてもよい。
【００４０】
この場合、図示しないキーボード、マウス、ペン入力、及びタッチパネルにより落雷情報更新部１Ｂに落雷の発生領域を入力するためのデータ入力部を別途設けるものとする。
【００４１】
また、本実施の形態に係る瞬時電圧低下支援情報提供サーバ１は、気象庁に設置されている落雷情報ＤＢサーバ３から送信された落雷発生情報や落雷予測情報を受信していたが、これに限らず、当該落雷情報ＤＢサーバ３は、気象予報会社や電力会社に設置されたものであってもよいことはいうまでもない。
【００４２】
端末装置４は、顧客である電力の需要家側に設けられた周知のブラウジング機能を有するコンピュータ、例えばパーソナルコンピュータ、携帯電話、又はＰＤＡ等であり、入力部とブラウジング部と表示部とを備えている。
【００４３】
データ入力部４Ａは、操作者の操作によりデータを入力するためのものである。
【００４４】
ブラウジング部４Ｂは、警報送信部１Ｋから通信ネットワーク２を介して送信された警告情報又は警報情報を受信する機能と、当該受信した警告情報又は警報情報を解析する機能と、当該解析結果を表示部に出力させる機能とを有する。
【００４５】
表示部４Ｃは、ブラウジング部４Ｂから出力された解析結果を外部に出力する機能を有する。
【００４６】
次に、以上のように構成された瞬時電圧低下支援情報提供サーバ１の動作を、図を用いて説明する。
【００４７】
図２乃至図４は、本発明に係る瞬時電圧低下支援情報提供サーバ１の動作を説明するためのフローチャートである。
【００４８】
本発明に係る瞬時電圧低下支援情報提供サーバ１は、気象庁に設けられた落雷発生情報を記憶した落雷情報ＤＢサーバ３から、通信ネットワーク２を介して送信される、落雷発生情報を受信し、当該落雷発生情報を落雷情報更新部１Ｂに出力し、当該落雷情報更新部１Ｂが落雷発生情報を落雷発生情報記憶部１Ｃに記憶させる。
【００４９】
続いて、瞬時電圧低下支援情報提供サーバ１は、気象庁に設けられた落雷予測情報を記憶した落雷情報ＤＢサーバ３から通信ネットワーク２を介して送信される落雷予測情報を受信し、当該受信した落雷予測情報を落雷情報更新部１Ｂに出力し、当該落雷情報更新部１Ｂが当該受信した落雷予測情報を落雷予測情報記憶部１Ｄに記憶させる。
【００５０】
なお、本実施の形態に係る瞬時電圧低下支援情報提供サーバ１では、落雷発生情報を記憶させた後に、落雷予測情報を記憶させていたが、これに限らず、落雷発生情報と落雷予測情報とを記憶させる順序は、逆でもよいし、時間的に同時であってもよいことはいうまでもない。
【００５１】
そして、検索範囲演算部１Ｈは、落雷発生情報記憶部１Ｃから落雷発生情報を読出す（ＳＴ１）。
【００５２】
次に、検索範囲演算部１Ｈは、当該読出した落雷発生情報である、落雷の発生している観測点の緯度及び経度と、予め定められた所定の距離とから、当該観測点を中心とし、かつ、所定の距離を半径とした円内の領域で表わされる、落雷発生領域の境界線の緯度及び経度を算出し、当該算出した落雷発生領域の緯度及び経度を、範囲比較部１Ｉと瞬低データ比較部１Ｊとに出力する（ＳＴ２）。
【００５３】
次に、検索範囲演算部１Ｈは、落雷予測情報記憶部１Ｄから落雷予測情報を読出す（ＳＴ３）。
【００５４】
次に、検索範囲演算部１Ｈは、当該読出した落雷予測情報のうち、落雷が発生すると予測される観測点の緯度及び経度の情報と、所定の距離を半径とした円内の領域で表される、落雷予測領域の境界線の緯度及び経度を算出し、当該算出した落雷予測領域の緯度及び経度を、範囲比較部１Ｉと瞬低データ比較部１Ｊとに出力する（ＳＴ４）。
【００５５】
その後、本発明に係る瞬時電圧低下支援情報提供サーバ１は、後述の行程ＳＴＡと行程ＳＴＢとからなる判定処理を行う。
【００５６】
なお、本実施の形態に係る検索範囲演算部１Ｈは、落雷発生情報記憶部１Ｃから落雷発生情報を読出し（ＳＴ１）、読出した観測点を中心とした落雷発生領域のデータを算出し（ＳＴ２）、しかる後、落雷予測情報記憶部１Ｄから落雷予測情報を読出し（ＳＴ３）、読出した観測点を中心とした落雷予測領域を算出していたが（ＳＴ４）、これに限らず、検索範囲演算部１Ｈは、行程ＳＴ１及び行程ＳＴ２と、行程ＳＴ３及び行程ＳＴ４との処理を逆の順序で行ってもよいし、時間的に同時に行ってもよいことはいうまでもない。
【００５７】
＜判定処理：ＳＴＡ＞
始めに、範囲比較部１Ｉは、検索範囲演算部１Ｈから出力された検索範囲のデータが落雷発生領域に関するものであるか否か判定する（ＳＴ１１）。
【００５８】
範囲比較部１Ｉは、この行程ＳＴ１１で検索範囲演算部１Ｈから落雷発生領域のデータが入力されたと判定した場合に（ＳＴ１１：ＹＥＳ）、送電系統ＤＢ１Ｅを検索し、当該検索結果として、当該落雷発生領域に存在する送電線又は電力設備のデータと、当該送電線又は電力設備を有する顧客のＩＤ情報とを読出し、読出した送電線又は電力設備のデータと、ＩＤ情報とに瞬時電圧低下が発生する可能性があることを示す警告情報を付加して警報送信部１Ｋに出力する（ＳＴ１２）。
【００５９】
次に、警報送信部１Ｋは、範囲比較部１Ｉから出力された送電線又は電力設備のデータと、顧客のＩＤ情報と、警告情報との組を受け取り、当該ＩＤ情報を検索キーとして顧客情報ＤＢ１Ｇを検索し、当該検索結果として顧客の連絡先であるＩＰアドレスを読出す（ＳＴ１３）。
【００６０】
次に、警報送信部１Ｋは、送電線又は電力設備のデータと警告情報とを、読出したＩＰアドレスに該当する端末装置４に通信ネットワーク２を介して送信する（ＳＴ１４）。
【００６１】
一方、範囲比較部１Ｉは、前述の行程ＳＴ１１で検索範囲演算部１Ｈから落雷発生領域のデータが入力されたのではないと判定した場合に（ＳＴ１１：ＮＯ）、当該検索範囲演算部１Ｈから出力された落雷予測領域のデータにより送電系統ＤＢ１Ｅを検索し、当該検索の結果として落雷予測領域に存在する送電線又は電力設備のデータと、当該送電線又は電力設備を有する顧客のＩＤ情報とを読出し、読出した送電線又は電力設備のデータと、顧客のＩＤ情報とに、瞬時電圧低下が発生する可能性があることを示す警告情報を付加して警報送信部１Ｋに出力する（ＳＴ１５）。
【００６２】
次に、警報送信部１Ｋは、前述した行程ＳＴ１３と行程ＳＴ１４と同様に、送電線又は電力設備のデータと顧客のＩＤ情報と警告情報との組を受け取り、当該ＩＤ情報を検索キーとして顧客情報ＤＢ１Ｇを検索し、当該検索結果として顧客の連絡先であるＩＰアドレスを読出し、（ＳＴ１６）、当該送電線又は電力設備のデータと警告情報とを、読出したＩＰアドレスに該当する端末装置４に通信ネットワーク２を介して送信する（ＳＴ１７）。
【００６３】
これにより、送信された警告情報が端末装置４により受信され、受信された警告情報がブラウジング部４Ｂにより解析されて解析結果が表示部４Ｃに表示される。
【００６４】
＜判定処理：ＳＴＢ＞
始めに、瞬低データ比較部１Ｊは、検索範囲演算部１Ｈから出力された検索範囲のデータが落雷発生領域に関するものであるか否かを判定する（ＳＴ２１）。
【００６５】
瞬低データ比較部１Ｊは、この行程ＳＴ２１で検索範囲演算部１Ｈから落雷発生領域のデータが入力されたと判定した場合に（ＳＴ２１：ＹＥＳ）、瞬低情報ＤＢ１Ｆを検索し、当該検索の結果として落雷発生領域と交わりを有する過去の瞬時電圧低下の発生時の雷雲の存在領域と、当該瞬時電圧低下を発生した顧客のＩＤ情報とを読出す（ＳＴ２２）。
【００６６】
次に、瞬低データ比較部１Ｊは、読出した、雷雲の存在領域と当該瞬時電圧低下が発生した際の顧客のＩＤ情報とに、警報情報を付加して警報送信部１Ｋに出力する（ＳＴ２３）。
【００６７】
次に、警報送信部１Ｋは、雷雲の存在領域と顧客のＩＤ情報と警報情報とを受け取り、当該顧客のＩＤ情報を検索キーとして顧客情報ＤＢ１Ｇを検索し、当該検索結果として、当該顧客の連絡先であるＩＰアドレスを読出す（ＳＴ２４）。
【００６８】
次に、警報送信部１Ｋは、雷雲の存在領域と警報情報とをＩＰアドレスに該当する端末装置４に通信ネットワーク２を介して送信する（ＳＴ２５）。
【００６９】
一方、瞬低データ比較部１Ｊは、前述の行程ＳＴ２１で検索範囲演算部１Ｈから落雷発生領域のデータが入力されていないと判定した場合に（ＳＴ２１：ＮＯ）、瞬低情報ＤＢ１Ｆを検索し、当該検索の結果として落雷予測領域と交わりを有する過去の瞬時電圧低下の発生時の雷雲の存在領域と、当該瞬時電圧低下を発生した顧客のＩＤ情報とを読出す（ＳＴ２６）。
【００７０】
次に、瞬低データ比較部１Ｊは、読出した、雷雲の存在領域と顧客のＩＤ情報とに警報情報を付加して警報送信部１Ｋに出力する（ＳＴ２７）。
【００７１】
次に、警報送信部１Ｋは、前述の行程ＳＴ２４及び行程ＳＴ２５と同様に、雷雲の存在領域と顧客のＩＤ情報と警報情報とを受け取り、当該顧客のＩＤ情報を検索キーとして顧客情報ＤＢ１Ｇを検索し、当該検索結果として、当該顧客の連絡先であるＩＰアドレスを読出し（ＳＴ２８）、雷雲の存在領域と警報情報とを、読出したＩＰアドレスに該当する端末装置４に通信ネットワーク２を介して送信する（ＳＴ２９）。
【００７２】
これにより、送信された警報情報が端末装置４により受信され、受信された警報情報がブラウジング部４Ｂにより解析されて解析結果が表示部４Ｃに表示される。
【００７３】
なお、本実施の形態に係る瞬時電圧低下支援情報提供サーバでは、行程ＳＴＡの一連の処理を行った後、行程ＳＴＢの一連の処理を行っているが、これに限らず、行程ＳＴＡと行程ＳＴＢとを行う順序は、逆であってもよいし、時間的に同時であってもよいことはいうまでもない。
【００７４】
上述したように本実施の形態においては、落雷情報受信部１Ａにより通信ネットワーク２を介して送信された落雷発生情報又は落雷予測情報が受信され、当該受信された落雷発生情報又は落雷予測情報と所定の距離とから算出された落雷発生領域又は落雷予測領域に存在する電力設備又は送電線のデータと、顧客のＩＤ情報とが送電系統ＤＢ１Ｅから範囲比較部１Ｉにより読出され、当該読出されたＩＤ情報を検索キーとして警報送信部１Ｋにより顧客情報ＤＢ１Ｇが検索され、該当するＩＰアドレスが読出され、当該読出されたＩＰアドレスに対応する端末装置４に警報送信部１Ｋにより警告情報が送信されるので、瞬時電圧低下が発生するか否かに関する適切な判定を行うための支援情報を顧客に提供することが出来る。
【００７５】
なお、上記一実施の形態に記載した手法は、コンピュータに実行させることの出来るプログラムとして、磁気ディスク（フレキシブルディスク、ハードディスクなど）、光ディスク（ＣＤ−ＲＯＭ、ＤＶＤなど）、光磁気ディスク（ＭＯ）、半導体メモリなどの記憶媒体に格納して頒布することができる。
【００７６】
また、この記憶媒体としては、プログラムを記憶でき、かつコンピュータが読み取り可能な記憶媒体であれば、その記憶形式は、何れの形態であっても良い。
【００７７】
また、記憶媒体からコンピュータにインストールされたプログラムの指示に基づきコンピュータ上で稼動しているＯＳ（オペレーティングシステム）や、データベース管理ソフト、ネットワークソフト等のＭＷ（ミドルウェア）等が本発明の実施の形態を実現するための各処理の一部を実行しても良い。
【００７８】
さらに、本発明の実施の形態における記憶媒体は、コンピュータと独立した媒体に限らず、ＬＡＮやインターネット等により伝送されたプログラムをダウンロードして記憶または一時記憶した記憶媒体も含まれる。
【００７９】
また、記憶媒体は１つに限らず、複数の媒体から本発明の実施の形態における処理が実行される場合も本発明の実施の形態における記憶媒体に含まれ、媒体構成は何れの構成で有っても良い。
【００８０】
なお、本発明におけるコンピュータは、記憶媒体に記憶されたプログラムに基づき、本実施の形態における各処理を実行するものであって、パソコン等の１つからなる装置、複数の装置がネットワーク接続されたシステム等の何れの構成であっても良い。
【００８１】
また、本発明におけるコンピュータとは、パソコンに限らず、情報処理機器に含まれる演算処理装置、マイコン等も含み、プログラムによって本発明の機能を実現することが可能な機器、装置を総称している。
【００８２】
なお、プログラムは、上記の機能を実現するものであれば、例えば、Ｃ（登録商標）、Ｃ＋＋（登録商標）、Ｃシャープ、又はＪＡＶＡ（登録商標）等、どのようなプログラミング言語で記載されたものであっても良い。
【００８３】
なお、本発明は、上記一実施の形態に限定されるものでなく、実施段階ではその要旨を逸脱しない範囲で、種々に変形することが可能である。
【００８４】
さらに、上記一実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【００８５】
その他、本発明は、その要旨を逸脱しない範囲で種々変形して実施できる。
【００８６】
【発明の効果】
以上詳述したように本発明によれば、瞬時電圧低下が発生するか否かに関する適切な判定を行うための支援情報を顧客に提供することを可能にする瞬時電圧低下支援情報提供サーバを提供できる。
【図面の簡単な説明】
【図１】本発明に係る瞬時電圧低下支援情報提供サーバと、当該瞬時電圧低下支援情報提供サーバと通信ネットワークを介して接続された落雷情報ＤＢサーバとからなる瞬時電圧低下支援情報提供システムの構成例を示す模式図。
【図２】本発明に係る瞬時電圧低下支援情報提供サーバの動作を説明するためのフローチャート。
【図３】本発明に係る瞬時電圧低下支援情報提供サーバの動作を説明するためのフローチャート。
【図４】本発明に係る瞬時電圧低下支援情報提供サーバの動作を説明するためのフローチャート。
【符号の説明】
１…瞬時電圧低下支援情報提供サーバ
１Ａ…落雷情報受信部
１Ｂ…落雷情報更新部
１Ｃ…落雷発生情報記憶部
１Ｄ…落雷予測情報記憶部
１Ｅ…送電系統ＤＢ
１Ｆ…瞬低情報ＤＢ
１Ｇ…顧客情報ＤＢ
１Ｈ…検索範囲演算部
１Ｉ…範囲比較部
１Ｊ…瞬低データ比較部
１Ｋ…警報送信部
２…通信ネットワーク
３…落雷情報ＤＢサーバ
３Ａ…落雷情報ＤＢ
３Ｂ…ＤＢＭＳ部
３Ｃ…配信先アドレス記憶部
３Ｄ…落雷情報送信部
４…端末装置
４Ａ…データ入力部
４Ｂ…ブラウジング部
４Ｃ…表示部
【図１】
2004112873.tif 000003
【図２】
2004112873.tif 000004
【図３】
2004112873.tif 000005
【図４】
2004112873.tif 000006